(57)【特許請求の範囲】
【請求項１】
第１の電気回路構成部品を封入したケース体にコネクタ挿通孔が貫通形成され、そのコネクタ挿通孔の奥部で前記第１の電気回路構成部品に固定された第１のコネクタと、第２の電気回路構成部品から延びたケーブルの先端に備えられた第２のコネクタとが結合されると共に、
前記ケーブルが貫通したケーブル貫通孔を有した閉塞部材が前記ケース体に嵌合されて前記コネクタ挿通孔を閉塞しかつ、嵌合後、前記ケース体の外側から前記閉塞部材の嵌合状態の解除が不能となる遊技機において、
前記第１及び第２のコネクタの一方のコネクタには、それらコネクタ同士の結合過程で弾性変形をして他方のコネクタに係止するコネクタ係止爪が備えられると共に、
前記閉塞部材の少なくとも一部が前記第２のコネクタに当接して前記第２のコネクタの結合解除方向への移動を規制し、
前記閉塞部材には、前記コネクタ係止爪の可動範囲に配置され、前記コネクタ係止爪の係止解除方向への移動を規制する移動規制壁を備えたことを特徴とする遊技機。
【請求項２】
第１の電気回路構成部品を封入したケース体にコネクタ挿通孔が貫通形成され、そのコネクタ挿通孔の奥部で前記第１の電気回路構成部品に固定された第１のコネクタと、第２の電気回路構成部品から延びたケーブルの先端に備えられた第２のコネクタとが結合されると共に、
前記ケーブルが貫通したケーブル貫通孔を有した閉塞部材が前記ケース体に嵌合されて前記コネクタ挿通孔を閉塞しかつ、嵌合後、前記ケース体の外側から前記閉塞部材の嵌合状態の解除が不能となる遊技機において、
前記第１及び第２のコネクタの一方のコネクタには、それらコネクタ同士の結合過程で弾性変形をして他方のコネクタに係止するコネクタ係止爪が備えられると共に、
前記閉塞部材の少なくとも一部が前記第２のコネクタに当接して前記第２のコネクタの結合解除方向への移動を規制し、
前記コネクタ挿通孔の開口縁から前記ケース体の内側又は外側に待受筒壁を突出形成し、前記閉塞部材に、前記待受筒壁の内側に嵌合した挿入筒壁を設けたことを特徴とする遊技機。
【請求項３】
第１の電気回路構成部品を封入したケース体にコネクタ挿通孔が貫通形成され、そのコネクタ挿通孔の奥部で前記第１の電気回路構成部品に固定された第１のコネクタと、第２の電気回路構成部品から延びたケーブルの先端に備えられた第２のコネクタとが結合されると共に、
前記ケーブルが貫通したケーブル貫通孔を有した閉塞部材が前記ケース体に嵌合されて前記コネクタ挿通孔を閉塞しかつ、嵌合後、前記ケース体の外側から前記閉塞部材の嵌合状態の解除が不能となる遊技機において、
前記第１及び第２のコネクタの一方のコネクタには、それらコネクタ同士の結合過程で弾性変形をして他方のコネクタに係止するコネクタ係止爪が備えられると共に、
前記閉塞部材の少なくとも一部が前記第２のコネクタに当接して前記第２のコネクタの結合解除方向への移動を規制し、
前記閉塞部材及び前記ケース体を、透明な部材で構成したことを特徴とする遊技機。
【発明の詳細な説明】
【技術分野】
【０００１】
本発明は、遊技機に関し、特に、回路基板を収容したケース体にコネクタ挿通孔が形成され、そのコネクタ挿通孔の奥部で回路基板に固定されたコネクタとケーブルの先端に備えたコネクタとが結合された遊技機に関する。
【背景技術】
【０００２】
従来のこの種の遊技機として、ケーブル側のコネクタとケース体の外側に設けられた係合部とを係合させてコネクタの抜脱防止を図ったものが知られている（例えば、特許文献１参照）。
【先行技術文献】
【特許文献】
【０００３】
【特許文献１】特開２００２−２７０３００号公報（第［０００９］、第１図）
【発明の概要】
【発明が解決しようとする課題】
【０００４】
ところで、上述した従来の遊技機では、ケーブル側のコネクタと係合部との係合がケース体の外部でなされており解除可能であることから、例えば、コネクタを取り外して別の電気回路構成部品に取り替える等の不正行為がなされる虞があった。
【０００５】
本発明は、上記事情に鑑みてなされたもので、一度結合したコネクタ同士のケース体外部からの結合解除を防止することが可能な遊技機の提供を目的とする。
【課題を解決するための手段】
【０００６】
上記目的を達成するためになされた請求項１の発明に係る遊技機は、第１の電気回路構成部品を封入したケース体にコネクタ挿通孔が貫通形成され、そのコネクタ挿通孔の奥部で第１の電気回路構成部品に固定された第１のコネクタと、第２の電気回路構成部品から延びたケーブルの先端に備えられた第２のコネクタとが結合されると共に、ケーブルが貫通したケーブル貫通孔を有した閉塞部材がケース体に嵌合されてコネクタ挿通孔を閉塞しかつ、嵌合後、ケース体の外側から閉塞部材の嵌合状態の解除が不能となる遊技機において、第１及び第２のコネクタの一方のコネクタには、それらコネクタ同士の結合過程で弾性変形をして他方のコネクタに係止するコネクタ係止爪が備えられると共に、閉塞部材の少なくとも一部が第２のコネクタに当接して第２のコネクタの結合解除方向への移動を規制し、閉塞部材には、コネクタ係止爪の可動範囲に配置され、コネクタ係止爪の係止解除方向への移動を規制する移動規制壁を備えたところに特徴を有する。
【０００７】
請求項２の発明に係る遊技機は、第１の電気回路構成部品を封入したケース体にコネクタ挿通孔が貫通形成され、そのコネクタ挿通孔の奥部で第１の電気回路構成部品に固定された第１のコネクタと、第２の電気回路構成部品から延びたケーブルの先端に備えられた第２のコネクタとが結合されると共に、ケーブルが貫通したケーブル貫通孔を有した閉塞部材がケース体に嵌合されてコネクタ挿通孔を閉塞しかつ、嵌合後、ケース体の外側から閉塞部材の嵌合状態の解除が不能となる遊技機において、第１及び第２のコネクタの一方のコネクタには、それらコネクタ同士の結合過程で弾性変形をして他方のコネクタに係止するコネクタ係止爪が備えられると共に、閉塞部材の少なくとも一部が第２のコネクタに当接して第２のコネクタの結合解除方向への移動を規制し、コネクタ挿通孔の開口縁からケース体の内側又は外側に待受筒壁を突出形成し、閉塞部材に、待受筒壁の内側に嵌合した挿入筒壁を設けたところに特徴を有する。
【０００８】
請求項３の発明に係る遊技機は、第１の電気回路構成部品を封入したケース体にコネクタ挿通孔が貫通形成され、そのコネクタ挿通孔の奥部で第１の電気回路構成部品に固定された第１のコネクタと、第２の電気回路構成部品から延びたケーブルの先端に備えられた第２のコネクタとが結合されると共に、ケーブルが貫通したケーブル貫通孔を有した閉塞部材がケース体に嵌合されてコネクタ挿通孔を閉塞しかつ、嵌合後、ケース体の外側から閉塞部材の嵌合状態の解除が不能となる遊技機において、第１及び第２のコネクタの一方のコネクタには、それらコネクタ同士の結合過程で弾性変形をして他方のコネクタに係止するコネクタ係止爪が備えられると共に、閉塞部材の少なくとも一部が第２のコネクタに当接して第２のコネクタの結合解除方向への移動を規制し、閉塞部材及びケース体を、透明な部材で構成したところに特徴を有する。
【発明の効果】
【０００９】
［請求項１〜３の発明］
請求項１〜３の発明によれば、第１の電気回路構成部品に固定された第１のコネクタと、ケーブルの先端に備えられた第２のコネクタとが結合した後、閉塞部材がケース体に嵌合されてコネクタ挿通孔を閉塞しかつ、嵌合後、閉塞部材の嵌合の解除が不能な状態（以下この状態を「嵌め殺し状態」という）となる。これにより、コネクタ同士の結合を解除して不正行為を行うことができなくなる。また、結合した両コネクタとコネクタ挿通孔との間の隙間が閉塞部材によって閉塞されるので、異物を挿入する等の不正行為を防止することができる。
【００１０】
そして、第１及び第２のコネクタのうち、何れか一方のコネクタには、それらコネクタ同士の結合過程で弾性変形をして他方のコネクタに係止するコネクタ係止爪が備えられているので、第１及び第２のコネクタ同士が結合しかつ閉塞部材が嵌め殺し状態で嵌合された後で、ケーブルがケース体の外部から引っ張られても、それら第１及び第２のコネクタ同士を結合した状態に保持することができる。
【００１１】
さらに、閉塞部材が第２のコネクタに当接して結合解除方向への移動を規制するので、第１及び第２のコネクタの結合を閉塞部材によっても保持することができる。
【００１２】
そして、請求項１の構成によれば、閉塞部材をコネクタ挿通孔に嵌め殺し状態に嵌合すると、閉塞部材に備えた移動規制壁がコネクタ係止爪の可動範囲に配置されて、コネクタ係止爪の係止解除方向への移動を規制する。即ち、コネクタ同士の結合が、コネクタ係止爪と移動規制壁とにより二重にロックされ、コネクタ同士の結合をより強固に保持することができる。
【００１３】
請求項２の発明によれば、ケース体から待受筒壁を突出形成しかつ、閉塞部材に待受筒壁の内側に嵌合した挿入筒壁を設けたことで、閉塞部材のコネクタ挿通孔に対する嵌合状態が安定する。また、コネクタ挿通孔の開口縁が補強され、コネクタ挿通孔の変形による閉塞部材の離脱を防止することができる。
【００１４】
請求項３の発明によれば、閉塞部材をコネクタ挿通孔に嵌め殺し状態に嵌合した状態で、コネクタ同士の結合状態をケース体の外部から視認することができる。
【図面の簡単な説明】
【００１５】
【図１】本発明の一実施形態に係る遊技機の正面図
【図２】遊技機の斜視図
【図３】遊技機の背面図
【図４】遊技板の背面図
【図５】第２基板ケースの平面図
【図６】第２基板ケースの斜視図
【図７】第２基板ケース及びサブ制御基板の斜視図
【図８】コネクタ、閉塞部材及びコネクタ挿通孔の近傍部分における第２基板ケースの斜視図
【図９】コネクタ挿通孔の近傍部分における第２基板ケースの部分拡大斜視図
【図１０】コネクタ同士が結合した状態のサブ制御基板の部分拡大斜視図
【図１１】コネクタ挿通孔の近傍部分における第２基板ケースの部分拡大断面図
【図１２】コネクタ挿通孔の近傍部分における第２基板ケースの部分拡大断面図
【図１３】ケースカバー体の内面側の部分拡大斜視図
【図１４】（Ａ）閉塞部材の分解斜視図、（Ｂ）閉塞部材の斜視図
【図１５】（Ａ）閉塞部材構成体の外側面図、（Ｂ）閉塞部材構成体の内側面図
【図１６】閉塞部材構成体の側面図
【図１７】（Ａ）コネクタが結合する前の第２基板ケースの部分拡大断面図、（Ｂ）コネクタが結合した後の第２基板ケースの部分拡大断面図
【図１８】コネクタ係止爪とコネクタ係止突部の部分拡大側面図
【図１９】変形例に係る第２基板ケースの部分拡大断面図
【図２０】変形例に係る第２基板ケースの部分拡大断面図
【発明を実施するための形態】
【００１６】
［第１実施形態］
以下、本発明のパチンコ遊技機１０（以下、「遊技機１０」という）に係る一実施形態を、図１〜図１８に基づいて説明する。図１に示すように、遊技機１０に備えた遊技板１１の前面には、遊技球を誘導可能なガイドレール１２に囲まれたほぼ円形の遊技領域Ｒ１が備えられている。遊技領域Ｒ１の中央よりやや右上に偏在した位置には、横長矩形の表示取付窓１１Ｗが貫通形成されており、この内側に、表示装置（具体的には、ＴＦＴ−ＬＣＤモジュール）に備えた横長矩形の液晶モニター２４Ｇが遊技板１１の後面側から嵌め込まれている。そして、遊技領域Ｒ１のうち液晶モニター２４Ｇ（表示取付窓１１Ｗ）の上方、左方及び下方に、遊技球が流下可能なスペースが確保され、そのスペースに以下の各役物が備えられている。
【００１７】
遊技領域Ｒ１のうち液晶モニター２４Ｇの下方スペースには、その左右方向の中央に、第１及び第２の始動入賞口１４Ａ，１４Ｂ、大入賞口１５及びアウト口１６が上から順番に並べて設けられ、左右両側部には、ガイドレール１２に沿って一般入賞口２０，２１及びサイドランプ２２がそれぞれ設けられている。液晶モニター２４Ｇの左側スペースには、始動ゲート１８と風車１９とが上下に並べて設けられている。その風車１９の下方には、サイドランプ２２と一体に、普通図柄表示部１７が設けられている。さらに、これら各種入賞口１４Ａ，１４Ｂ，１５，２０，２１，液晶モニター２４Ｇ等の役物以外に、遊技領域Ｒ１には、遊技球の流下方向をランダムに変化させるための障害釘が分散配置されている。
【００１８】
遊技領域Ｒ１に備えた各役物について詳説する。一般入賞口２０，２１は、所謂、ポケット構造をなし、遊技球が丁度１つ入球可能な大きさで上方に開口している。そして、各一般入賞口２０，２１に入った遊技球は、遊技板１１に設けた図示しない貫通孔を通って、遊技板１１の裏側に回収される。また、これら各一般入賞口２０，２１の内部には、球検出スイッチ（図示せず）が備えられ、それら各一般入賞口スイッチが遊技球を１球検出する度に、例えば４個の遊技球が賞球として上皿２６に払い出される。
【００１９】
始動ゲート１８は、遊技球が潜って通過可能な門形構造をなし、通過した遊技球は始動ゲート１８に内蔵された球検出スイッチ（図示せず）によって検出される。この検出信号に基づいて、普通図柄表示部１７において図柄が変動表示される。具体的には、普通図柄表示部１７は、７セグメントＬＥＤで構成され、その７セグメントＬＥＤにて「０」〜「９」までの数字からなる数字図柄が所定期間に亘って変動表示された後、所定の数字図柄が停止表示される。
【００２０】
第１及び第２の始動入賞口１４Ａ，１４Ｂは、共に遊技板１１から突出した部材の上面に開口を備えた、所謂、ポケット構造をなしている。そして、各始動入賞口１４Ａ，１４Ｂに入った遊技球は、遊技板１１に設けた図示しない貫通孔を通って、遊技板１１の裏側に回収される。
【００２１】
上側に配置された第１の始動入賞口１４Ａは、遊技球が１つだけ入る開口幅を有している。一方、下側に配置された第２の始動入賞口１４Ｂは、第１の始動入賞口１４Ａの真下に配置され、その開口の左右両側には可動翼片１４Ｃ，１４Ｃが備えられている。これら両可動翼片１４Ｃ，１４Ｃは、常には起立状態になっており、両可動翼片１４Ｃ，１４Ｃに挟まれた第２の始動入賞口１４Ｂの開口幅は、遊技球が１つだけ入る大きさとなっている。また、第２の始動入賞口１４Ｂの上方空間は、常には、第１の始動入賞口１４Ａを構成する部材と可動翼片１４Ｃ，１４Ｃとで囲まれて、遊技球が入らないようになっている。そして、普通図柄表示部１７で停止表示された数字図柄が奇数になると、可動翼片１４Ｃ，１４Ｃが所定期間（例えば、０．４秒間）に亘って横に倒される。すると、第２の始動入賞口１４Ｂの上方空間が側方に開放し、第１の始動入賞口１４Ａの両脇を通過した遊技球が可動翼片１４Ｃに受け止められて第２の始動入賞口１４Ｂに案内されるようになる。
【００２２】
第１及び第２の各始動入賞口１４Ａ，１４Ｂ内にはそれぞれ、遊技球の入賞を検出するための球検出スイッチ（図示せず）が備えられ、それら球検出スイッチが遊技球の１球の入賞を検出する度に、例えば、４個の遊技球が賞球として上皿２６に払い出されると共に、遊技の当否判定が行われ、その当否判定の結果が、液晶モニター２４Ｇにおける図柄の表示によって示される。
【００２３】
液晶モニター２４Ｇには、通常、３つの左、中、右の特別図柄２３Ａ，２３Ｂ，２３Ｃが横並びに表示されている。これら各特別図柄２３Ａ，２３Ｂ，２３Ｃは、例えば、「０」〜「１１」の数字を表記した複数種類のもので構成されており、通常は、各特別図柄２３Ａ，２３Ｂ，２３Ｃごと、所定の種類のものが停止表示されている。そして、始動入賞口１４Ａ，１４Ｂに遊技球が入賞して当否判定が行われたときに、これら３つの特別図柄２３Ａ，２３Ｂ，２３Ｃが、上下方向にスクロール表示され、所定時間後に、例えば、左、中、右の順で各特別図柄２３Ａ，２３Ｂ，２３Ｃが停止表示される。このとき、遊技の当否判定の結果が「大当たり」であれば、例えば、全ての特別図柄２３Ａ，２３Ｂ，２３Ｃが同じ図柄、即ち、ぞろ目になる。
【００２４】
また、液晶モニター２４Ｇにおいて特別図柄２３Ａ，２３Ｂ，２３Ｃが変動表示又は「大当たり状態」の最中に始動入賞口１４Ａ，１４Ｂに入賞した場合、その入賞球は保留球として最大で４個まで記憶され、その保留記憶数（保留球数）が、特別図柄２３Ａ，２３Ｂ，２３Ｃと共に液晶モニター２４Ｇに表示される。そして、特別図柄２３Ａ，２３Ｂ，２３Ｃが停止表示又は「大当たり状態」が終了すると、その保留記憶数が１つ減らされて再び、特別図柄２３Ａ，２３Ｂ，２３Ｃが変動表示してから停止表示されて、遊技の当否判定結果が表示される。
【００２５】
大入賞口１５は、横長矩形に形成されて、常には、可動扉１５Ｔにて閉塞されている。遊技機１０が「大当たり状態」になると、可動扉１５Ｔが所定期間に亘って前側に倒れる。これにより、大入賞口１５が開放され、可動扉１５Ｔを案内にして、大入賞口１５に多くの遊技球が入賞可能となる。また、大入賞口１５に入った遊技球は、遊技板１１に設けた図示しない貫通孔を通って、遊技板１１の裏側に回収される。
【００２６】
ここで、可動扉１５Ｔが、開放してから閉じるまでの間を「ラウンド」と称すると、１つのラウンドは、可動扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。
【００２７】
大入賞口１５の内部には、継続入賞口と計数入賞口とが設けられている。より詳細には、可動扉１５Ｔが開いたときには、継続入賞口は開放しており、継続入賞口に入賞後、ソレノイドが駆動されて、継続入賞口が閉鎖される一方、計数入賞口は開放されたままとなる。そして、継続入賞口内に設けた球検出スイッチ（図示せず）が遊技球の入賞を検出すると、前述した終了条件を満たしてラウンドが終了した後で、連続して次のラウンドが実行される。また、計数入賞口内に設けた球検出スイッチ（図示せず）が遊技球の入賞を検出すると、継続入賞口への入賞球とあわせて、大入賞口１５への入賞球がカウントされ、これらが前記したように計１０個に達したか否かがチェックされる。なお、大入賞口１５内の球検出スイッチが遊技球を１つ検出する毎に、１５個の遊技球が賞球として上皿２６に払い出される。以上が、遊技領域Ｒ１に備えられた各役物の説明である。
【００２８】
上述の遊技領域Ｒ１は、遊技機１０の前面に開閉可能に備えられたガラス扉３９のガラス窓３９Ｗ（図２参照。但し、遊技領域Ｒ１の詳細は省略してある）を通して視認することができる。遊技機１０の前面のうちガラス窓３９Ｗより上方には、図１に示すように左右に１対のスピーカ１３，１３が設けられている。また、遊技機１０の前面のうちガラス窓３９Ｗより下方には、遊技球を貯留する為の上皿２６及び下皿２７が設けられている。上皿２６の側方には、球抜きボタン２６Ｂが設けられている。この球抜きボタン２６Ｂを押圧操作することで、上皿２６から下皿２７に遊技球を排出することができる。
【００２９】
下皿２７の左側方には遊技ボタン２７Ｂが設けられると共に、右側方には球排出ボタン２７Ｃ、球貸し状態表示モニター２７Ｄ及び球貸し操作ボタン２７Ｅが設けられている。
【００３０】
遊技ボタン２７Ｂを押圧すると、液晶モニター２４Ｇで変動表示されている特別図柄２３Ａ，２３Ｂ，２３Ｃ以外の画像（例えば、キャラクタ画像）を、遊技者の任意のタイミングで停止させることができる。
【００３１】
また、下皿２７の下方に受箱（所謂、ドル箱）を配置して球排出ボタン２７Ｃを押圧操作することで、下皿２７に貯留された遊技球を受箱へと排出することができる。さらに、下皿２７が遊技球により満杯になった場合には、図示しない警告ランプが点灯すると共に、スピーカ１３から警告音声が出力される。
【００３２】
遊技機１０の前面のうち向かって右下角部には、操作ノブ２８が備えられている。操作ノブ２８を操作すると、上皿２６に貯留された遊技球が、順次、遊技領域Ｒ１の上部に打ち込まれ、それら遊技球が遊技領域Ｒ１を流下する。その過程で幾つかの遊技球は、前記した何れかの入賞口１４Ａ，１４Ｂ，１５，２０，２１に入球し、何れの入賞口１４Ａ，１４Ｂ，１５，２０，２１にも入球しなかった遊技球は、アウト口１６に入球する。そして、入球した入賞口に応じて、遊技機１０の後面に備えた払出装置３４から、所定数の遊技球が上皿２６に払い出される。
【００３３】
遊技機１０の前面側の構成は以上であって、次に後面側の構成について説明する。遊技機１０の後面には、図３に示すように木枠３８の内側に嵌め込まれた縦長矩形の機構板３０が固定されている。機構板３０の中央部には、図４に示す遊技板１１の後面で塞がれた図示しない矩形開口が形成され、その矩形開口を覆うように、透明な樹脂製カバー（図示せず）が着脱可能に取り付けられている。機構板３０の上辺には遊技球を貯留する遊技球タンク３３が組み付けられており、機構板３０の一方の側辺（遊技機１０の後面の向かって右側の側辺）には払出装置３４が設けられており、機構板３０の下辺部分には払出制御装置３５と電源装置３６とが並んで設けられている。なお、払出装置３４は、遊技球タンク３３から遊技球誘導樋３７を通じて遊技球を受け取り、払出制御装置３５からの指令に応じて所定数の遊技球を上皿２６に払い出す。
【００３４】
図４に示すように、遊技板１１の後面には、液晶モニター２４Ｇ（図１参照）を収容したモニターケース５０と、液晶モニター２４Ｇを制御して各種画像を表示させる表示制御基板５１Ｈ及び音声の制御を行う音声制御基板５１Ｊを収容した第１基板ケース５１と、サブ制御基板５２Ｈを収容した第２基板ケース５２と、遊技機１０の全体を制御するメイン制御基板５３Ｈを収容した第３基板ケース５３とが固定されている。これら各ケース５０，５１，５２，５３のうち、モニターケース５０、第１基板ケース５１及び第２基板ケース５２が前後方向で重なった状態で取り付けられており、その下方に、第３基板ケース５３が取り付けられている。これら各ケース５０，５１，５２，５３は、何れも透明な樹脂で構成されており、内部を視認可能となっている。また、各ケース５０，５１，５２，５３は、機構板３０の矩形開口（図示せず）の内側に配置され、樹脂製カバー（図示せず）によって後方から覆われている。そして、液晶モニター２４Ｇ及び各制御基板５１Ｈ，５２Ｈ，５３Ｈとの間が、ケーブル４０（図７参照）によって電気的に接続されている。なお、説明の便宜の為、図４ではケーブル４０を図示していない。
【００３５】
図５及び図６には、本発明の「第１の電気回路構成部品」に相当するサブ制御基板５２Ｈを収容した第２基板ケース５２（本発明の「ケース体」に相当する）が示されている。第２基板ケース５２は、前後方向（図５において紙面と直交する方向）に薄くなった扁平構造をなし、内部に収容されたサブ制御基板５２Ｈの形状に対応して、横長矩形状をなしている。
【００３６】
図７に示すように、第２基板ケース５２は、サブ制御基板５２Ｈを内部に収容するためにその扁平方向で、本発明に係る「１対のケース構成体」に相当するケース本体６０とケースカバー体６５とに分割可能となっている。
【００３７】
ケース本体６０は略長方形の底壁６１の外縁全体から側壁６２を起立した構造になっている。ケース本体６０のうち側壁６２に囲まれた部分には図示しない段差部が形成されており、その段差部に、サブ制御基板５２Ｈの外縁部が載置されている。また、ケース本体６０の四隅には螺旋孔（図示せず）が形成されており、サブ制御基板５２Ｈの四隅を貫通したビスを各螺旋孔に螺合することで、サブ制御基板５２Ｈがケース本体６０に固定されている。
【００３８】
一方、ケースカバー体６５は、底壁６１に対向した基板保護壁６６の外縁全体から側壁６７が底壁６１に向かって起立してなり、ケースカバー体６５全体がケース本体６０側に開放したケース構造になっている。ケースカバー体６５のうち横方向（第２基板ケース５２の平面形状における長手方向）で対向した１対の側壁６７の上端部には、ケース本体６０側に延びかつ側方に張り出した固定片６８，６８がそれぞれ形成され、それら固定片６８，６８が第１基板ケース５１の後面に宛がわれて螺旋止めされている。
【００３９】
また、ケースカバー体６５は、その側壁６７の一部をケース本体６０における側壁６２の外面に係止しかつ、側壁６７のその他の部分をケース本体６０における側壁６２に突き合わせた状態でケース本体６０と合体している。詳細には、図７に示すように、ケースカバー体６５の縦方向で対向した両側壁６７のうちケース本体６０の側壁６２の外側に重なる部分には係合孔６９，６９が形成され、ケース本体６０の縦方向で対向した両側壁６２のうち、ケースカバー体６５の側壁６７と重なる部分には、複数の係合突部６３，６３が形成されている。なお、図７では係合孔６９及び係合部６３は、ケースカバー体６５の両側壁６７及びケース本体６０の両側壁６２のうち上側のみが図示されているが、下側にも同様に係合孔６９及び係合部６３が形成されている。そして、ケースカバー体６５とケース本体６０とを互いに近づけて合体すると、これら係合突部６３，６３と係合孔６９，６９とが凹凸係合し、ケースカバー体６５とケース本体６０とが合体状態に保持される。
【００４０】
図６に示すように第２基板ケース５２の外面には、ケース本体６０とケースカバー体６５との接合部分（側壁６２と側壁６７との間）に跨って封止シール６４が貼付されている。この封止シール６４は剥がすと痕跡が残る（例えば、「開封済」という文字が浮き出る）ようになっており、第２基板ケース５２を開放（ケース本体６０とケースカバー体６５とを分解）し、サブ制御基板５２Ｈに対して不正が行われた場合でも、封止シール６４を剥がした痕跡から不正行為が行われたか否かを確認することが可能である。
【００４１】
ケースカバー体６５のうち、基板保護壁６６は、サブ制御基板５２Ｈの回路実装面５２Ｊ（本発明の「コネクタ固定面」に相当する）に対面すると共に平面形状が底壁６１に対応した略長方形をなし、縦方向の両端縁が端段付き状に凹んで底壁６１に接近するように屈曲している。そして、基板保護壁６６には、縦方向（第２基板ケース５２の平面形状における短手方向）の両端縁に沿って複数のコネクタ挿通孔７０，７０が形成され、これらコネクタ挿通孔７０，７０から、サブ制御基板５２Ｈの上辺及び下辺に沿って設けられた複数のコネクタＣｎ１，Ｃｎ１が第２基板ケース５２の外側に突出している（図６参照）。そして、これらコネクタＣｎ１，Ｃｎ１に、他の制御基板５１Ｈ，５３Ｈやその他の電気部品から延びたケーブル４０のコネクタＣｎ２（図７参照）が結合されている。
【００４２】
ここで、ケーブル４０は、両端部にコネクタＣｎ２，Ｃｎ２（図７には一方のコネクタＣｎ２のみが示されている）を備え、それらコネクタＣｎ２，Ｃｎ２間を複数本の電線４０Ａ，４０Ａで連結した構造をなしている。なお、ケーブル４０は、本実施形態のように各電線４０Ａ，４０Ａが離ればなれになっているものに限定されず、複数の電線４０Ａ，４０Ａを平面状に束ねて帯状にした、所謂、フラットケーブルであってもよい。
【００４３】
ところで、図７に示すように、サブ制御基板５２Ｈの回路実装面５２Ｊのうち、横方向（長手方向）の一端寄り位置には、例えば、メイン制御基板５３Ｈ（本発明の「第２の電気回路構成部品」に相当する）から延びたケーブル４０のコネクタＣｎ２と結合するコネクタＣｎ１１が実装されている。コネクタＣｎ１１は、サブ制御基板５２Ｈに備えた他のコネクタＣｎ１と同様に、ケーブル４０のコネクタＣｎ２を受容可能な容器構造をなしており、内側に複数本のピンＰｎが起立している。なお、メイン制御基板５３Ｈは、本発明の「第２の電気回路構成部品」に相当し、メイン制御基板５３Ｈから延びたケーブル４０のコネクタＣｎ２は、本発明の「第２のコネクタ」に相当し、そのコネクタＣｎ２と結合するコネクタＣｎ１１は、本発明の「第１のコネクタ」に相当する。
【００４４】
このコネクタＣｎ１１に対応して、第２基板ケース５２の基板保護壁６６には、コネクタＣｎ１１を第２基板ケース５２の外部に露出させる為のコネクタ挿通孔７１が形成されている。
【００４５】
図１２に示すようにコネクタＣｎ１１の先端部は、コネクタ挿通孔７１を貫通して基板保護壁６６よりも外側に突出しており、その先端部の周囲を囲むように、コネクタ挿通孔７１の開口縁からは、コネクタＣｎ１１より第２基板ケース５２の外側に突出した角筒状の待受筒壁７２が形成されている。そして、この待受筒壁７２の内側でケーブル４０の先端に備えたコネクタＣｎ２がコネクタＣｎ１１に結合している（図１０参照）。
【００４６】
図５に示すように、コネクタ挿通孔７１は縦長矩形状をなしており、コネクタ挿通孔７１の内面とコネクタＣｎ１１との間には、サブ制御基板５２Ｈに備えた他のコネクタＣｎ１とそれに対応するコネクタ挿通孔７０の内面との間の隙間より大きな隙間が開いている。その隙間を塞ぐ為に、コネクタ挿通孔７１の内側には、コネクタＣｎ１１，Ｃｎ２同士が連結した状態で、本発明に係る閉塞部材８０が嵌合されている（図１２参照）。
【００４７】
図８には閉塞部材８０の全体が示されている。同図に示すように閉塞部材８０は、コネクタ挿通孔７１を塞ぐ天井壁８１と、天井壁８１から第２基板ケース５２のうちコネクタ挿通孔７１に向かって突出した挿入筒壁８２とを一体に備えている。
【００４８】
天井壁８１は、コネクタ挿通孔７１の平面形状より一回り大きな矩形状をなしており、コネクタ挿通孔７１の全体を覆っている（図８及び図９参照）。詳細には、図１２に示すように天井壁８１のうち挿入筒壁８２の外側に張り出した部分は待受筒壁７２の端面に当接しており、挿入筒壁８２で囲まれた内側部分はケーブル４０のコネクタＣｎ２の後端面に当接して、コネクタＣｎ２とコネクタＣｎ１１との結合が外れるのを規制している。即ち、挿入筒壁８２の挿入方向の長さは、コネクタＣｎ２が天井壁８１に当接可能な長さとなっている。また、天井壁８１のうち挿入筒壁８２の内側部分には、ケーブル４０を通すためのケーブル貫通孔８３が形成されている。図８に示すように、ケーブル貫通孔８３は、ケーブル４０を構成する電線４０Ａ，４０Ａ毎に独立して設けられており、本実施形態では、例えば、３つのケーブル貫通孔８３が天井壁８１の長手方向に並んで形成されている。また、各ケーブル貫通孔８３の内径は、各電線４０Ａの外径よりも大きくなっており、ケーブル貫通孔８３の内面全周と各電線４０Ａとの間には隙間が設けられている。このようにすることで、ケーブル４０に対して閉塞部材８０を移動させる際の、各電線４０Ａ，４０Ａとケーブル貫通孔８３，８３の内面との摩擦が軽減され、閉塞部材８０をケーブル４０に対してスムーズに移動させることが可能になる。なお、ケーブル貫通孔８３の内面と各電線４０Ａとの間の隙間はコネクタＣｎ２の後端面で閉塞されており、この隙間からの異物の進入を防止することができる。
【００４９】
閉塞部材８０の挿入筒壁８２は、コネクタ挿通孔７１の平面形状に対応して矩形筒構造をなしており、コネクタ挿通孔７１への挿入方向の前方が開放している（図１２及び図１３参照）。挿入筒壁８２は、待受筒壁７２及びコネクタ挿通孔７１の内側に嵌合すると共に、サブ制御基板５２Ｈの回路実装面５２Ｊの近傍まで延びて、互いに結合したコネクタＣｎ１１，Ｃｎ２の側方を包囲している
【００５０】
挿入筒壁８２には、閉塞部材８０をコネクタ挿通孔７１の内側に嵌め殺し状態に嵌合させるために、１対の閉塞係止爪８４，８４が備えられている。閉塞係止爪８４は、閉塞部材８０の短手方向で対向した両側壁８２Ａ，８２Ａ（図８参照。図８には一方の側壁８２Ａのみが示されている）にそれぞれ形成されている。詳細には、各閉塞係止爪８４，８４は、両側壁８２Ａ，８２Ａのほぼ中央部を、コネクタ挿通孔７１への挿入方向の前方に向かって片持ち梁状に切り離して可撓片８４Ｂを形成し、その可撓片８４Ｂの先端部から外側に係止突部８４Ａを突出形成した構造になっている。
【００５１】
そして、閉塞部材８０がコネクタ挿通孔７１の内側に嵌合した状態で、各閉塞係止爪８４，８４の各係止突部８４Ａ，８４Ａが、第２基板ケース５２の内側でコネクタ挿通孔７１の縁部に係止することで、閉塞部材８０が第２基板ケース５２の外側から抜き取り不可能となっている。即ち、コネクタ挿通孔７１の内側に嵌合された閉塞部材８０が嵌め殺し状態となっている（図１１〜図１３参照）。なお、閉塞部材８０は、透明な樹脂部材で構成されている。
【００５２】
ここで、閉塞部材８０は、両端部にコネクタＣｎ２，Ｃｎ２を備えた既存のケーブル４０に対して後から取り付けることが可能な構造となっている。即ち、図１４（Ａ）から同図（Ｂ）への変化に示すように、閉塞部材８０は、天井壁８１に形成された３つのケーブル貫通孔８３，８３の中心を通る分割面で閉塞部材８０を分割してなる１対の閉塞部材構成体８５，８５から構成され、これら閉塞部材構成体８５，８５をケーブル４０の側方から近づけて、ケーブル４０を側方から挟んだ状態で合体させることで、閉塞部材８０をコネクタＣｎ２，Ｃｎ２付きのケーブル４０の途中位置に取り付けることが可能となっている。
【００５３】
各閉塞部材構成体８５，８５には、それぞれ合体係止突片８６と合体係止可撓片８７とが１つずつ備えられており、それらの係止により閉塞部材構成体８５，８５同士が合体状態に保持されている。
【００５４】
即ち、挿入筒壁８２を前記分割面で２等分してなる門形壁８５Ａのうち、合体方向と直交した方向で対向した対向壁８５Ｂ，８５Ｂの一方には、合体係止突片８６が形成され、他方には合体係止可撓片８７が形成されている。これら合体係止突片８６と合体係止可撓片８７は、共に分割面より相手側の閉塞部材構成体８５に突出した片持ち梁状をなしている。
【００５５】
合体係止突片８６の外面には、先端部から基端部に向かうに従って外側に迫り出した横長の係合突部８６Ａが突出形成されており、合体係止可撓片８７には、その係合突部８６Ａを受容する横長の係合孔８７Ａが形成されている。また、対向壁８５Ｂのうち合体係止可撓片８７を挟んだ両側にはスリット８７Ｂ，８７Ｂが形成され、このスリット８７Ｂ，８７Ｂによって合体係止可撓片８７が合体係止突片８６に比べて弾性変形し易くなっている（図１６参照）。
【００５６】
そして、閉塞部材構成体８５，８５を合体させる過程で、各閉塞部材構成体８５，８５に備えた合体係止可撓片８７，８７が、相手側の閉塞部材構成体８５，８５に備えた合体係止突片８６，８６の外側に進入して外側に弾性変形し、その合体係止突片８６，８６を乗り越えて、係合突部８６Ａと係合孔８７Ａとが凹凸係合する。これにより閉塞部材構成体８５，８５が合体状態に固定され、閉塞部材８０が構成される。なお、閉塞部材構成体８５，８５は、同一形状の透明な樹脂成形品であり、共通の金型で製造することができる。
【００５７】
ここで、閉塞部材８０がコネクタ挿通孔７１に嵌め殺し状態に嵌合されたときに、閉塞部材構成体８５，８５を合体状態に保持する合体係止可撓片８７と合体係止突片８６との係止部分は、待受筒壁７２の内側に配置され、第２基板ケース５２の外部から操作不能となっている。これにより、閉塞部材８０が閉塞部材構成体８５，８５に分解してコネクタ挿通孔７１から外れることを防止することができる。また、合体係止可撓片８７の外側には、待受筒壁７２及びコネクタ挿通孔７１の内面が当接或いは近接配置され（図１１参照）、挿入筒壁８２の外側への合体係止可撓片８７の変形が禁止されている。つまり、閉塞部材構成体８５，８５の合体状態が合体係止可撓片８７と合体係止突片８６との間の係止と、待受筒壁７２とにより二重にロックされ、１対の閉塞部材構成体８５，８５の合体状態をより強固に保持することができる。
【００５８】
ところで、上記した閉塞部材８０をコネクタ挿通孔７１に嵌め殺し状態に嵌合した後で、外部からケーブル４０が引っ張られて、第２基板ケース５２内にてコネクタＣｎ１１，Ｃｎ２同士の結合が解除されると、第２基板ケース５２の外側からコネクタＣｎ１１，Ｃｎ２同士を再結合させることができない為、再結合に手間が掛かる。このような事態に備えて、本実施形態では、サブ制御基板５２Ｈ側のコネクタＣｎ１１にコネクタ係止突部９１を備え、ケーブル４０側のコネクタＣｎ２に、コネクタ係止突部９１に係止するコネクタ係止爪９０を備えている。
【００５９】
図８に示すようにコネクタ係止突部９１は、コネクタＣｎ１１の外面に形成された溝形凹部９２の内側でややコネクタＣｎ１１の先端寄り位置に形成され、コネクタＣｎ１１の基端部に向かうに従って外側に迫り出すように突出している。詳細には、図１８（Ａ）に示すように、コネクタＣｎ１１の基端部に向かうに従ってコネクタＣｎ１１の外面から徐々に離れるように傾斜した摺接テーパー面９１Ａと、コネクタＣｎ１１の外面に対して直角でかつコネクタＣｎ１１の基端部（サブ制御基板５２Ｈ）側を向いた係止段差面９１Ｂと、摺接テーパー面９１Ａと係止段差面９１Ｂとの間を連絡してコネクタＣｎ１１の外面に平行な摺接平坦面９１Ｃとを有している。
【００６０】
これに対し、コネクタ係止爪９０は、ケーブル４０側のコネクタＣｎ２の外面に形成された溝形凹部９３の内側に設けられている（図８参照）。詳細には、図１８（Ａ）に示すように、コネクタ係止爪９０はコネクタＣｎ２の外面から離して配置された係止板９０Ａと、係止板９０Ａの基端寄り位置とコネクタＣｎ２の外面との間を連結したヒンジ９０Ｂと、係止板９０Ａの先端内面からコネクタＣｎ２の外面に向かって突出した係止突部９０Ｃとを備えている。係止突部９０Ｃは、係止板９０Ａの先端部から基端部に向かうに従って、コネクタＣｎ２の外面側に徐々に迫り出すように突出している。
【００６１】
そして、ケーブル４０側のコネクタＣｎ２をサブ制御基板５２Ｈ側のコネクタＣｎ１１に結合する過程においてコネクタ係止爪９０は、コネクタ係止突部９１を乗り越えるためにコネクタＣｎ２の外面から離れるように弾性変形し（図１８（Ｂ）参照）、コネクタ係止突部９１を乗り越えたときに復元して、係止突部９０Ｃとコネクタ係止突部９１とが、コネクタＣｎ１１，Ｃｎ２の結合解除方向で係止する（図１７（Ｂ）参照）。これにより、万が一、第２基板ケース５２の外側からケーブル４０が引っ張られた場合でも、ケーブル４０側のコネクタＣｎ２のコネクタＣｎ１１からの抜け外れが禁止され、コネクタＣｎ１１，Ｃｎ２同士は結合した状態に保持される。
【００６２】
また、本実施形態では、コネクタ係止爪９０の係止突部９０Ｃがコネクタ係止突部９１を乗り越えていない状態（図１７（Ａ）及び図１８の状態）では、ケーブル４０側のコネクＣｎ２が待受筒壁７２の端面より外側に突出し、コネクタ係止爪９０の係止突部９０Ｃがコネクタ係止突部９１を乗り越えた（図１７（Ｂ）の状態）ことを条件にして、コネクタＣｎ２の全体が待受筒壁７２の内側に受容されるように構成されている。即ち、コネクタＣｎ１１，Ｃｎ２同士の結合が不完全で、コネクタ係止爪９０とコネクタ係止突部９１とが係止していない状態では、閉塞部材８０の天井壁８１がコネクタＣｎ２の後端面に干渉する為、コネクタ挿通孔７１に対して閉塞部材８０を嵌め殺し状態に嵌合することが不可能であり、コネクタＣｎ１１，Ｃｎ２同士が完全に結合してコネクタ係止爪９０とコネクタ係止突部９１とが係止したことを条件にして、コネクタ挿通孔７１に対して閉塞部材８０が嵌め殺し状態に嵌合可能になるように構成されている。これにより、コネクタＣｎ１１，Ｃｎ２の結合が不完全なままコネクタ挿通孔７１が嵌め殺し状態に閉塞されるという作業ミスを防止することができる。
【００６３】
また、閉塞部材８０のうち挿入筒壁８２の両側壁８２Ａ，８２Ａは、コネクタ係止爪９０がコネクタ係止突部９１を乗り越えて係止する際のコネクタ係止爪９０の先端部の可動範囲に配置されており（図１２参照）、閉塞部材８０がコネクタ挿通孔７１に嵌合すると、コネクタ係止爪９０のコネクタ係止突部９１に対する係止解除方向への移動が禁止される。即ち、コネクタＣｎ１１，Ｃｎ２同士の結合は、コネクタ係止突部９１に係止したコネクタ係止爪９０と、そのコネクタ係止爪９０の係止解除を禁止する挿入筒壁８２とにより二重にロックされ、コネクタＣｎ１１，Ｃｎ２同士の結合をより強固に保持することができる。なお、挿入筒壁８２の両側壁８２Ａ，８２Ａは、本発明の「移動規制壁」に相当する。
【００６４】
本実施形態の遊技機１０の構成は以上であって、以下、本実施形態の作用及び効果を説明する。第２基板ケース５２に収容されたサブ制御基板５２ＨのコネクタＣｎ１１に、メイン制御基板５３Ｈから延びたケーブル４０のコネクタＣｎ２を結合する場合には、ケーブル４０側のコネクタＣｎ２を第２基板ケース５２の後面側から近づけてコネクタ挿通孔７１から第２基板ケース５２内に挿入する。そして、図１７（Ａ）から同図（Ｂ）への変化に示すように、コネクタＣｎ２をコネクタＣｎ１１の奥部に向けて押し付けて結合を深める。
【００６５】
コネクタＣｎ１１，Ｃｎ２同士が結合する過程で、コネクタＣｎ２に備えたコネクタ係止爪９０はコネクタ係止突部９１を乗り越える。即ち、図１８（Ａ）から同図（Ｂ）への変化に示すように、コネクタ係止爪９０に備えた係止突部９０Ｃが、コネクタ係止突部９１の摺接テーパー面９１Ａに摺接し、ヒンジ９０Ｂを中心にしてコネクタ係止爪９０の先端側が徐々にコネクタＣｎ２の外面から離れるように弾性変形する。そして、コネクタＣｎ１１，Ｃｎ２同士の結合が深まって係止突部９０Ｃがコネクタ係止突部９１を乗り越えると、コネクタ係止爪９０はコネクタＣｎ２側に変形して復元し、コネクタ係止爪９０とコネクタ係止突部９１とが係止状態になる。これにより、ケーブル４０が第２基板ケース５２の外部から引っ張られた場合には、係止突部９０Ｃがコネクタ係止突部９１の係止段差面９１Ｂに当接して、コネクタＣｎ１１，Ｃｎ２同士を結合状態に保持することが可能となる。
【００６６】
ケーブル４０に対して閉塞部材８０を取り付ける場合には以下のようである。即ち、図１４（Ａ）から同図（Ｂ）への変化に示すように、閉塞部材８０は１対の閉塞部材構成体８５，８５に分割しておき、それら閉塞部材構成体８５，８５をケーブル４０の側方から互いに近づけて、ケーブル４０の各電線４０Ａ，４０Ａがケーブル貫通孔８３，８３を貫通した状態にして合体させる。
【００６７】
閉塞部材構成体８５，８５を合体させる過程で、各閉塞部材構成体８５，８５に備えた合体係止可撓片８７，８７は合体係止突片８６，８６の外側に進入し、合体係止可撓片８７の先端が係合突部８６Ａに乗り上げて対向壁８５Ｂの外側に弾性変形する。そして、合体係止可撓片８７の先端が係合突部８６Ａを通過すると、合体係止可撓片８７が復元して係合孔８７Ａに係合突部８６Ａが受容され、合体係止突片８６と合体係止可撓片８７とが互いに係止される。これにより、閉塞部材８０が構成されると共にその閉塞部材８０がケーブル４０の途中位置に取り付けられる。
【００６８】
ケーブル４０に取り付けられた閉塞部材８０をコネクタ挿通孔７１の内側に嵌合させる場合は、以下のようである。即ち、閉塞部材８０をケーブル４０に対して移動させて挿入筒壁８２を第２基板ケース５２の外面に突出した待受筒壁７２の内側に挿入し、奥へ押し込む。
【００６９】
挿入筒壁８２が待受筒壁７２の内側を移動する間、挿入筒壁８２に備えた閉塞係止爪８４，８４は待受筒壁７２の内面に摺接すると共に待受筒壁７２の内面に押されて内側に窄小変形する。そして、閉塞部材８０の天井壁８１が待受筒壁７２の端面に突き当たるのとほぼ同時に、閉塞係止爪８４，８４の先端に備えた係止突部８４Ａ，８４Ａがコネクタ挿通孔７１を通過し、両閉塞係止爪８４，８４が外側に拡開する。これにより、係止突部８４Ａ，８４Ａが第２基板ケース５２の内側でコネクタ挿通孔７１の縁部（基板保護壁６６の内面）に係止される。
【００７０】
即ち、閉塞部材８０は、コネクタ挿通孔７１を閉塞すると共にコネクタ挿通孔７１の内側に嵌め殺し状態に嵌合され、第２基板ケース５２の外部からの操作では抜き取ることが不可能となる。これにより、コネクタ挿通孔７１の内面とコネクタＣｎ１１との間の隙間を介した不正行為を確実に防止することができる。
【００７１】
また、閉塞部材８０が嵌め殺し状態に嵌合した状態で、閉塞部材８０の天井壁８１がケーブル４０側のコネクタＣｎ２の後端面に当接しているので、コネクタＣｎ１１、Ｃｎ２同士の結合を、天井壁８１によってもロックすることができ、また、コネクタＣｎ２のがたつきを押さえることができる。これにより、コネクタＣｎ１１、コネクタＣｎ２同士の結合をより強固に保つことができる。
【００７２】
上述の如くメイン制御基板５３Ｈから延びたケーブル４０とコネクタ結合されたサブ制御基板５２Ｈを正規に交換する場合は、以下のようである。即ち、第２基板ケース５２に貼付された封止シール６４を剥がしてケース本体６０とケースカバー体６５とに分解し、ケースカバー体６５を、ケース本体６０から引き離すようにケーブル貫通孔８３の軸方向に移動させて、サブ制御基板５２Ｈを露出させる。
【００７３】
このとき、閉塞部材８０はケースカバー体６５と共に移動する。ケースカバー体６５を移動させる際には、ケーブル４０の各電線４０Ａ，４０Ａをケーブル貫通孔８３，８３に貫通させたまま、閉塞部材８０をケーブル４０に対して移動させることになるが、ケーブル貫通孔８３と各電線４０Ａ，４０Ａとは遊嵌しているので、ケーブル貫通孔８３の内面とケーブル４０（各電線４０Ａ，４０Ａ）の外面との摩擦を無くす或いは軽減することができ、ケーブル４０に対してケースカバー体６５をスムーズに移動させることができる。
【００７４】
また、第２基板ケース５２を分解すると、閉塞部材８０をコネクタ挿通孔７１から取り外すことが可能となる。即ち、ケースカバー体６５（基板保護壁６６）の内面に突出した閉塞係止爪８４，８４の先端部を摘んで窄小変形させて、係止突部８４Ａ，８４Ａによる係止を解除し、その状態で閉塞部材８０の天井壁８１を摘んで引き抜くか、ケースカバー体６５の内面側から押し出せば、コネクタ挿通孔７１から閉塞部材８０を取り外すことができる。
【００７５】
サブ制御基板５２Ｈを露出させたら、ケーブル４０側のコネクタＣｎ２のコネクタ係止爪９０を操作して、コネクタ係止爪９０とコネクタ係止突部９１との係止状態を解除する。即ち、係止板９０Ａのうち、ヒンジ９０Ｂより基端側の解除操作部９０Ｄを内側に押圧して、ヒンジ９０Ｂより先端側をコネクタＣｎ１１の外側に移動させる。この係止解除状態で、コネクタＣｎ２を摘んでコネクタＣｎ１１から引き抜く。サブ制御基板５２Ｈに接続されたその他全てのケーブル４０の接続を解除してサブ制御基板５２Ｈを交換したら、各ケーブル４０とサブ制御基板５２Ｈとを再接続する。そして、ケースカバー体６５をケース本体６０の後方から近づけてそれらを合体し、最後に新しい封止シール６４を貼り付ければ、サブ制御基板５２Ｈの交換作業は終了である。
【００７６】
なお、第２基板ケース５２は、それらケース本体６０とケースカバー体６５とを合体させて封止シール６４により封止されており、封止シール６０を剥がさなければ分解できないようになっている。つまりは、第２基板ケース５２を分解すればその痕跡（封止シール６４が剥がされた跡や破壊された跡）が残るようになっている。サブ制御基板５２Ｈは、このように構成された第２基板ケース５２に封入され、封止シール６４により封止された状態では、第２基板ケース５２と閉塞部材８０のうち少なくとも一方を破壊しなければ閉塞部材８０の嵌合の解除ができない（或いは困難な）構成となっている。また、第２基板ケース５２がサブ制御基板５２Ｈを収容して封止される前の状態（第２基板ケース５２が開放している状態）のときは、閉塞部材８０は第２基板ケース５２の内側から嵌合を解除できる。
【００７７】
このように、本実施形態の遊技機１０によれば、サブ制御基板５２Ｈに固定されたコネクタＣｎ１１と、ケーブル４０の先端に備えられたコネクタＣｎ２のうち、コネクタＣｎ２には、それらコネクタＣｎ１１，Ｃｎ２同士の結合過程で弾性変形をしてコネクタＣｎ１１に係止するコネクタ係止爪９０が備えられているので、コネクタＣｎ１１，Ｃｎ２同士が結合しかつ閉塞部材８０がコネクタ挿通孔７１に嵌め殺し状態で嵌合された後で、ケーブル４０が第２基板ケース５２の外部から引っ張られても、それらコネクタＣｎ１１，Ｃｎ２同士を結合した状態に保持することができる。これにより、閉塞部材８０が嵌め殺し状態で嵌合された後でコネクタＣｎ１１，Ｃｎ２の結合が解除された場合の面倒な復旧作業を強いられることがなくなる。
【００７８】
また、閉塞部材８０をコネクタ挿通孔７１に嵌め殺し状態に嵌合すると、閉塞部材８０に備えた挿入筒壁８２がコネクタ係止爪９０の可動範囲に配置されて、コネクタ係止爪９０の係止解除方向への移動を規制する。即ち、コネクタＣｎ１１，Ｃｎ２同士の結合が、コネクタＣｎ１１，Ｃｎ２間におけるコネクタ係止爪９０の係止と挿入筒壁８２によるコネクタ係止爪９０の移動規制により二重にロックされ、コネクタＣｎ１１，Ｃｎ２同士の結合をより確実に保持することができる。
【００７９】
さらに、コネクタ挿通孔７１の開口縁から待受筒壁７２を突出形成したので、コネクタ挿通孔７１の変形が防がれ、また、閉塞部材８０に備えた挿入筒壁８２を待受筒壁７２の内側に嵌合させたので、閉塞部材８０がぐらつくことが無くコネクタ挿通孔７１に対する嵌合状態が安定する。
【００８０】
なお、本実施形態を概念化すると、以下［１］〜［９］の発明となる。
【００８１】
［１］第１の電気回路構成部品を封入したケース体にコネクタ挿通孔が貫通形成され、そのコネクタ挿通孔の奥部で前記第１の電気回路構成部品に固定された第１のコネクタと、第２の電気回路構成部品から延びたケーブルの先端に備えられた第２のコネクタとが結合されると共に、
前記ケーブルが貫通したケーブル貫通孔を有した閉塞部材が前記ケース体に嵌合されて前記コネクタ挿通孔を閉塞しかつ、嵌合後、前記ケース体の外側から前記閉塞部材の嵌合状態の解除が不能となる遊技機において、
前記第１及び第２のコネクタの一方のコネクタには、それらコネクタ同士の結合過程で弾性変形をして他方のコネクタに係止するコネクタ係止爪が備えられると共に、
前記閉塞部材の少なくとも一部が前記第２のコネクタに当接して前記第２のコネクタの結合解除方向への移動を規制することを特徴とする遊技機。
【００８２】
［１］の構成によれば、第１の電気回路構成部品に固定された第１のコネクタと、ケーブルの先端に備えられた第２のコネクタとが結合した後、閉塞部材がケース体に嵌合されてコネクタ挿通孔を閉塞しかつ、嵌合後、閉塞部材の嵌合の解除が不能な状態（以下この状態を「嵌め殺し状態」という）となる。これにより、コネクタ同士の結合を解除して不正行為を行うことができなくなる。また、結合した両コネクタとコネクタ挿通孔との間の隙間が閉塞部材によって閉塞されるので、異物を挿入する等の不正行為を防止することができる。
【００８３】
そして、第１及び第２のコネクタのうち、何れか一方のコネクタには、それらコネクタ同士の結合過程で弾性変形をして他方のコネクタに係止するコネクタ係止爪が備えられているので、第１及び第２のコネクタ同士が結合しかつ閉塞部材が嵌め殺し状態で嵌合された後で、ケーブルがケース体の外部から引っ張られても、それら第１及び第２のコネクタ同士を結合した状態に保持することができる。
【００８４】
さらに、閉塞部材が第２のコネクタに当接して結合解除方向への移動を規制するので、第１及び第２のコネクタの結合を閉塞部材によっても保持することができる。
【００８５】
［２］前記コネクタ係止爪には、そのコネクタ係止爪を操作して前記他方のコネクタとの係止を解除するための解除操作部が備えられ、
前記ケース体は、１対のケース構成体を合体してなり、前記第１の電気回路構成部品のうち前記第１のコネクタが固定されたコネクタ固定面から前記ケーブル貫通孔の軸方向に一方の前記ケース構成体を移動して前記１対のケース構成体を分割可能としたことを特徴とする［１］に記載の遊技機。
【００８６】
［２］の構成によれば、ケース体は、１対のケース構成体を合体してなり、第１の電気回路構成部品のうち第１のコネクタが固定されたコネクタ固定面から離すように一方のケース構成体をケーブル貫通孔の軸方向に移動することで、ケース体を開放することができる。これにより、第１の電気回路構成部品のメンテナンスや交換に対応することができる。また、ケース体を開いて、コネクタ係止爪の解除操作部を操作することで、コネクタ同士の結合を解除することができる。
【００８７】
［３］前記ケーブル貫通孔の内面全周と前記ケーブルとの間に隙間を設けたことを特徴とする［１］又は［２］に記載の遊技機。
【００８８】
［３］の構成によれば、ケーブル貫通孔の内面全周とケーブルとの間に隙間を設けたので、一方のケース構成体をケーブル貫通孔の軸方向に移動させる際の、ケーブル貫通孔の内面とケーブルの外面との摩擦を無くす或いは軽減することができ、ケース体の開放作業をスムーズに行うことができる。
【００８９】
［４］前記ケース構成体同士の接合部分に跨って貼付され、剥がすと痕跡が残る封止シールを備えたことを特徴とする［２］又は［３］に記載の遊技機。
【００９０】
［４］の構成によれば、封止シールを剥がしてケース体を開放し、第１の電気回路構成部品に対して不正行為が行われたとしても、封止シールを剥がした痕跡から不正行為が行われたか否かを確認することが可能である。
【００９１】
［５］前記ケース構成体同士を結合すると共に前記ケース体の外部からの操作により破断可能に構成されたケース開放確認部材を備えたことを特徴とする［２］乃至［４］の何れかに記載の遊技機。
【００９２】
［５］の構成によれば、ケース構成体同士を結合するケース開放確認部材を破断してケース体を開放し、第１の電気回路構成部品に対して不正行為が行われたとしても、ケース開放確認部材が破断された痕跡から、不正行為が行われたか否かを確認することが可能である。
【００９３】
［６］前記閉塞部材には、前記コネクタ係止爪の可動範囲に配置され、前記コネクタ係止爪の係止解除方向への移動を規制する移動規制壁を備えたことを特徴とする［１］乃至［５］の何れかに記載の遊技機。
【００９４】
［６］の構成によれば、閉塞部材をコネクタ挿通孔に嵌め殺し状態に嵌合すると、閉塞部材に備えた移動規制壁がコネクタ係止爪の可動範囲に配置されて、コネクタ係止爪の係止解除方向への移動を規制する。即ち、コネクタ同士の結合が、コネクタ係止爪と移動規制壁とにより二重にロックされ、コネクタ同士の結合をより強固に保持することができる。
【００９５】
［７］前記コネクタ挿通孔の開口縁から前記ケース体の内側又は外側に待受筒壁を突出形成し、前記閉塞部材に、前記待受筒壁の内側に嵌合した挿入筒壁を設けたことを特徴とする［１］乃至［６］の何れかに記載の遊技機。
【００９６】
［７］の構成によれば、ケース体から待受筒壁を突出形成しかつ、閉塞部材に待受筒壁の内側に嵌合した挿入筒壁を設けたことで、閉塞部材のコネクタ挿通孔に対する嵌合状態が安定する。また、コネクタ挿通孔の開口縁が補強され、コネクタ挿通孔の変形による閉塞部材の離脱を防止することができる。
【００９７】
［８］前記閉塞部材には、その閉塞部材を前記ケース体に嵌合する過程で弾性変形をして前記ケース体に係止する閉塞係止爪が備えられ、
前記第１及び第２のコネクタが結合途中の状態では、前記閉塞部材が前記第２のコネクタに干渉して前記閉塞係止爪の前記ケース体への係止が禁止され、
前記第１及び第２のコネクタが完全に結合して前記コネクタ係止爪が前記他方のコネクタに係止したことを条件に、前記閉塞係止爪の前記ケース体への係止が可能になることを特徴とする［１］乃至［７］の何れかに記載の遊技機。
【００９８】
［８］の構成によれば、第１及び第２のコネクタが結合途中で完全に結合していない状態で、閉塞部材がコネクタ挿通孔に嵌め殺し状態に嵌合されるという作業ミスを防止することができる。
【００９９】
［９］前記閉塞部材及び前記ケース体を、透明な部材で構成したことを特徴とする［１］乃至［８］の何れかに記載の遊技機。
【０１００】
［９］の構成によれば、閉塞部材をコネクタ挿通孔に嵌め殺し状態に嵌合した状態で、コネクタ同士の結合状態をケース体の外部から視認することができる。
【０１０１】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態は、パチンコ遊技機１０に本発明を適用していたが、コイン遊技機やスロットマシン等に備えてもよい。
【０１０２】
（２）前記実施形態では、ケース本体６０とケースカバー体６５とに跨って封止シール６４を貼付することにより、第２基板ケース５２の開放の痕跡が残るように構成していたが以下のような構成としてもよい。
【０１０３】
即ち、図１９に示すように、ケース本体６０とケースカバー体６５とに、それらが合体したときに重なり合う合体封止部９５，９５（本発明の「ケース開放確認部材」に相当する）を一体形成すると共に、重なり合った合体封止部９５，９５を貫通して抜け止めされる封止部材９６（かしめピン）とを設け、それら合体封止部９５，９５の何れか一方を破断することで、ケース本体６０とケースカバー体６５とに分解可能な構成としてもよい。これにより、第２基板ケース５２が開放されてサブ制御基板５２Ｈに対して不正行為が行われたとしても、合体封止部９５が破断されたという痕跡が残るため、不正行為が行われたか否かを確認することが可能である。
【０１０４】
（３）図２０（Ａ）に示すように待受筒壁７２は、コネクタ挿通孔７１の開口縁から第２基板ケース５２の内側に向かって突出していてもよい。また、図２０（Ｂ）に示すように、待受筒壁を設けなくてもよい。なお、待受筒壁を設けなかった場合には、閉塞係止爪８４，８４の係止突部８４Ａ，８４Ａを、挿入筒壁８２の基端側（天井壁８１側）位置に配置して、天井壁８１と係止突部８４Ａ，８４Ａとの間で第２基板ケース５２の基板保護壁６６を挟むようにして係止させればよい。
【０１０５】
（４）本実施形態では、ケーブル４０を構成する複数の電線４０Ａ，４０Ａ毎にケーブル貫通孔８３，８３が独立して設けられていたが、複数の電線４０Ａ，４０Ａの全部が貫通可能なケーブル貫通孔８３を１つだけ設けてもよい。
【０１０６】
（５）第２基板ケース５２は、ケース本体６０とケースカバー体６５の２部品で構成されていなくてもよく、サブ制御基板５２Ｈの回路実装面５２Ｊを覆うケースカバー体６５のみで構成してもよい。
【０１０７】
（６）閉塞部材８０は、１対の閉塞部材構成体８５，８５の一側辺同士を連結したヒンジを中心に開閉して、ケーブル４０を側方から挟持する構造としてもよい。
【０１０８】
（７）ケーブル４０側のコネクタＣｎ２にコネクタ係止突部９１を設け、サブ制御基板５２Ｈ側のコネクタＣｎ１１にコネクタ係止爪９０を設けてもよい。
【０１０９】
（８）閉塞部材８０は、１対の閉塞部材構成体８５，８５を合体させた構造でなくてもよく、一部品で構成してもよい。
【０１１０】
（９）本実施形態では、サブ制御基板５２Ｈに備えたコネクタＣｎ１１及びサブ制御基板５２Ｈを収容した第２基板ケース５２に本発明の構成を適用していたが、サブ制御基板５２Ｈ以外の他の制御基板５１Ｈ，５３Ｈや液晶モニター２４Ｇに備えたコネクタと、それら収容したケース５０，５１，５３に本発明の構成を適用してもよい。
【０１１１】
（１０）閉塞部材８０のうちコネクタＣｎ２に当接する面と、コネクタＣｎ２のうち天井壁８１と当接する面とに雌雄一対からなる結合部をそれぞれ設けてもよい。閉塞部材８０と結合したコネクタＣｎ１１、コネクタＣｎ２とを固定することで第２基板ケース５２の封止をより強固にすることができる。
【符号の説明】
【０１１２】
１０    遊技機
４０    ケーブル
５２    第２基板ケース（ケース体）
５２Ｈ    サブ制御基板（第１の電気回路構成部品）
５２Ｊ    回路実装面（コネクタ固定面）
５３Ｈ    メイン制御基板（第２の電気回路構成部品）
６０    ケース本体（ケース構成体）
６４    封止シール
６５    ケースカバー体（ケース構成体）
７１    コネクタ挿通孔
７２    待受筒壁
８０    閉塞部材
８１    天井壁
８２    挿入筒壁
８２Ａ，８２Ａ    側壁（移動規制壁）
８３    ケーブル貫通孔
８４    閉塞係止爪
９０    コネクタ係止爪
９０Ｄ    解除操作部
９５    合体封止部（ケース開放確認部材）
Ｃｎ１１    コネクタ（第１のコネクタ）
Ｃｎ２    コネクタ（第２のコネクタ）
【図１】
0005324683.tif 000002
【図２】
0005324683.tif 000003
【図３】
0005324683.tif 000004
【図４】
0005324683.tif 000005
【図５】
0005324683.tif 000006
【図６】
0005324683.tif 000007
【図７】
0005324683.tif 000008
【図８】
0005324683.tif 000009
【図９】
0005324683.tif 000010
【図１０】
0005324683.tif 000011
【図１１】
0005324683.tif 000012
【図１２】
0005324683.tif 000013
【図１３】
0005324683.tif 000014
【図１４】
0005324683.tif 000015
【図１５】
0005324683.tif 000016
【図１６】
0005324683.tif 000017
【図１７】
0005324683.tif 000018
【図１８】
0005324683.tif 000019
【図１９】
0005324683.tif 000020
【図２０】
0005324683.tif 000021